(57)【要約】      （修正有）【課題】内蔵されるカム部の変位操作が行えない場合にも開錠が行える錠を提供する。【解決手段】操作体を操作することでカム部１４、１７が作動し、カム部１４、１７のカム凸部１７ｂにロック片１５が位置決めされることで施錠状態となり、カム凹部１７ａにロック片１５が位置することで開錠状態となる錠であって、カム凸部１７ｂの形成部位１４が分離、かつ、変位可能に設けられるとともに、その変位操作部１３を備え、変位操作部１３の操作により形成部位１４が内方に変位されることでカム凸部１７ｂ位置に補助カム凹部１７ｃが形成されるもの。【選択図】図５
0003181191.tif 000002
【実用新案登録請求の範囲】
【請求項１】
操作体を操作することでカム部が作動し、前記カム部のカム凸部にロック片が位置決めされることで施錠状態となり、カム凹部に前記ロック片が位置することで開錠状態となる錠であって、
前記カム凸部の形成部位が分離、かつ、変位可能に設けられるとともに、その変位操作部を備え、
前記変位操作部の操作により前記形成部位が内方に変位されることで前記カム凸部位置に補助カム凹部が形成されることを特徴とする錠。
【考案の詳細な説明】
【技術分野】
【０００１】  この考案は、操作に連動するカム動作によってロック機能を発揮する錠に関する。
【背景技術】
【０００２】  例えば、ロッカー錠としてダイヤルセット器で所定の数字をセットすることで操作つまみが操作可能となり、操作つまみを操作することでカム動作によりロック片が位して開錠されるものがある。
【考案の概要】
【考案が解決しようとする課題】
【０００３】  上記のロッカー錠は、例えば、ダイヤルセット器のセット番号を忘れた場合には操作つまみが操作できず、ロッカーの扉を開くことができない問題が発生する。【０００４】  この考案は上記の点に鑑みて行ったもので、この種の錠において何らかの理由で操作つまみが操作できず、カム動作が不可となった場合にも開錠が行えるようにすることを目的とする。
【課題を解決するための手段】
【０００５】  この考案では、操作体を操作することでカム部が作動し、前記カム部のカム凸部にロック片が位置決めされることで施錠状態となり、カム凹部に前記ロック片が位置することで開錠状態となる錠において、前記カム凸部の形成部位が分離、かつ、変位可能に設けられるとともに、その変位操作部を備え、前記変位操作部の操作により前記形成部位が内方に変位されることで前記カム凸部位置に補助カム凹部が形成されることを特徴とする錠を提供する。【０００６】  上記構成によれば、変位操作部を操作してカム凸部を変位することでそこに補助カム凹部が形成され、その補助カム凹部にロック片が位置されることで開錠状態とできる。これにより操作体の操作が行えない場合にも開錠が可能となる。
【考案の効果】
【０００７】  この考案によれば、操作つまみ等での操作が行えずカム動作が不可となった場合においても、支障なく開錠が行える信頼性の高い錠が得られる。
【図面の簡単な説明】
【０００８】
【図１】  この考案の錠の実施例の前面側斜視図
【図２】  この考案の錠に使用する錠本体の実施例の背面側斜視図
【図３】  この考案の錠の実施例の分解図
【図４】  この考案の錠に使用する操作つまみ部分の実施例の分解図
【図５】  この考案の錠における作動カムの動作説明図
【図６】  この考案の錠の取り付け状態説明図
【図７】  この考案の錠の施錠動作説明図
【図８】  この考案の錠の施錠動作説明図
【図９】  この考案の錠の非常時開錠動作説明図
【考案を実施するための形態】
【０００９】  図１はこの考案の錠の前面側斜視図、図２は錠本体の背面側斜視図、図３は錠の分解図である。
【００１０】  錠１は錠本体３と保持金具５とからなる。錠本体１は前面ケース７と裏板８とにより外郭が形成され、その内部にロック作動機構１０とマグネット３０が内装され、裏板８面にはマグネットシート９が貼り付けられている。
【００１１】  前面ケース７には操作つまみ（操作体）１１が突出する開口４とダイヤルロック器１２の操作穴６とが設けられている。裏板８にはマグネット３０の収納部３２、保持金具５の差し入れ穴３５、操作つまみ１１の軸支穴３６が設けられ、さらに、内面にはダイヤルロック器１２の装着固定部３７が設けられ、その装着固定部３７には図に現れないがダイヤル数値の設定穴が形成されている。裏板８はネジ穴２、２…の位置でネジ固定されて前面ケース７に固定される。
【００１２】  ロック作動機構１０は、操作つまみ１１とダイヤルロック器１２とシリンダー錠１３と作動カム１４とラッチボール（ロック片）１５とから構成される。
【００１３】  操作つまみ１１は、図４に示すように、円筒状の操作部１６とその下部に連続するカム構成部１７とからなり、カム構成部１７はカム凹部１７ａを備えるとともに作動カム１４の装着凹部１９を備えている。さらに、カム構成部１７の下周縁部にはロック凹部２２が設けられるとともに、カム構成部１７の端部面には裏板８の軸支穴３６に軸支される軸支部３９が突出形成されている。
【００１４】  シリンダー錠（変位操作部）１３は前面に鍵穴２１を備えるとともに端部に内筒に一体の係止凸部２３を備え、操作つまみ１１の開口２５内に内嵌装着されて設けられる。
【００１５】  作動カム１４（カム凸部の形成部位）は係止溝２６を備え、操作つまみ１１のカム構成部１７の装着凹部１９に側方から差し入れられて装着され、上記シリンダー錠１３はこの作動カム１４の装着後に装着され、その際に係止凸部２３が係止溝２６に係止される。作動カム１４は、係止凸部２３が図５において点線で示すように係止溝２６の上部に位置する際には、その側部１４ａが凹んで位置してカム凹部（補助カム凹部）１７ｃを形成し（非常時）、係止凸部２３が実線で示すように係止溝２６の下部に位置する際には、その側部１４ａがカム凸部１７ｂを形成する（通常時）。上記操作つまみ１１のカム構成部１７と作動カム１４とによりカム部が構成される。
【００１６】  ダイヤルロック器１２はダイヤル操作部２７とその操作に連動する係止部２８を備え、係止部２８は施錠時において操作つまみ１１のロック凹部２２に係止する。
【００１７】  ラッチボール１５は操作つまみ１１のカム構成部１７の側位置に移動可能に配置される。
【００１８】  マグネット３０はマグット本体３１の両面にヨーク片３８、３８が吸着により取り付けられて一体に構成され、裏板８の内面に突出形成される収納部３２内に、図６に示すように、移動可能に設けられる。マグネット３０はヨーク片３８、３８の係止部３３、３３のそれぞれが収納部３２の開口縁に設けられる係止縁部３５、３５に係止することで収納部３２内から抜け出ることはなく、かつ、前面ケース７が有ることで収納部３２奥方へ抜け出ることもない。
【００１９】  保持金具５は金属プレートよりなり、先端側にラッチボール１５の係止穴４０が設けられ、基部はクランプ部４１とされて固定ネジ４２が取り付けられている。保持金具５は、図６に示すように、クランプ部４１内にドアや扉の枠の凸縁６１が嵌合される状態で固定ネジ４２で取り付けられ、その取り付けられた状態においてその先端側がドアや扉表面より外方に突出する。
【００２０】  マグネットシート９は裏板８の収納部３２、差し入れ穴３５、軸支穴３６、ダイヤル数値の設定穴それぞれに対応する位置に開口５０、５１、５２、５３のそれぞれが設けられ、裏板８面に貼り付けられて取り付けられている。
【００２１】  以下、ドアに使用される場合の動作説明を行う。
錠本体３を、図７に示す開錠状態として、ドア６０が閉じられた状態において、外方に突出する保持金具５を差し入れ穴３５に差し入れるようにして、ドア６０表面に仮り装着する。錠本体３は開錠状態においては、保持金具５の差し入れ位置にカム構成部１７のカム凹部１７ａが相対しているので、保持金具５が差し入れられるとラッチボール１５は保持金具５に押されてカム凹部１７ａ側に移動し、これにより保持金具５はラッチボール１５に邪魔されることなく差し入れ穴３５の奥方にまで差し入れられる。この保持金具５が十分に差し入れられた状態において係止穴４０がカム凹部１７ａに相対し、かつ、マグネットシート９が鉄製のドア６０面に吸着して錠本体３は仮り装着状態となる。また、この開錠時においてはダイヤルロック器１２の操作部２７は設定番号となっており、その係止部２８は操作つまみ１１のカム構成部１７から離れて位置し、かつ、カム構成部１７のロック凹部２２に相対していない。
【００２２】  次に操作つまみ１１が所定角度回転されてカム構成部１７が回転すると、カム凹部１７ａがカム凸部１７ｂに切り替わり、この切り替わり動作に伴ってラッチボール１５は保持金具５側に押し出されて係止穴４０に嵌り込む。この状態において操作つまみ１１のロック凹部２２にダイヤルロック器１２の係止部２８が相対し、次にダイヤルロック器１２の操作部２７を適宜操作して設定番号以外の番号にすると、これに連動して係止部２８はロック凹部２２に係止して、図８に示す施錠状態となる。
【００２３】  これにより操作つまみ１１を回転操作できなくなり、ラッチボール１５が保持金具５の係止穴４０に係止して錠本体３が係止金具５にロック状態に保持され、その錠本体３が係止することでドア６０の開くことが阻止される。ドア６０を開くには、ダイヤルロック器１２の操作で設定番号とすることで係止部２８をロック凹部２２から離脱させ、その状態において操作つまみ１１を所定の角度戻し回転させて図７の状態とし、錠本体３を取り外す。
【００２４】  上記の錠本体３の保持金具５への仮り装着の際の取り付けを、誤って錠本体３が施錠状態となっている状態で行った場合、保持金具５の差し入れられる位置にラッチボール１５が位置する。これにより、図６に示すように、保持金具５の先端がそのラッチボール１５に当たり、それ以上錠本体３に保持金具５を差し入れられず、錠本体３をドア６０面に当接できなくなる。この状態においては、マグネットシート９はドア６０面に吸着しないが移動可能に設けられているマグネット３０は吸着力が働くことで収納部３２から引き出されて突出し、その先端側をドア６０面に吸着させる。マグネット３０は係止縁部３５、３５に係止することで収納部３２内から抜け出ることがないので、手を離した場合においても錠本体３はドア６０面に保持され、その落下が防止される。
【００２５】  開錠に際し、ダイヤルロック器１２の操作部２７の設定番号を忘れた等の非常時の場合には、シリンダー錠１３前面の鍵穴２１に所定の鍵を挿入して回転操作することで以下のように開錠が行われる。図５の実線で示す施錠状態においてシリンダー錠１３が回転操作されると、係止凸部２３の回転移動に伴ってそれが係止する係止溝２６が移動することで作動カム１４がスライド移動して側部１４ａが後退し、図５において点線で示すように、また、図９に示すように、カム凸部１７ｂの有った位置にカム凹部１７ｃが形成される。このカム凹部１７ｃにラッチボール１５が移動できることで保持金具５が抜き出せ、錠本体３が取り外されて開錠がなされる。
【符号の説明】
【００２６】１  錠
１１  操作つまみ（操作体）
１４  作動カム（カム凸部の形成部位）
１５  ラッチボール（ロック片）
１７  カム構成部（カム部）
１７ａ  カム凹部
１７ｂ  カム凸部
１７ｃ  カム凹部（補助カム凹部）
【図１】
0003181191.tif 000003
【図２】
0003181191.tif 000004
【図３】
0003181191.tif 000005
【図４】
0003181191.tif 000006
【図５】
0003181191.tif 000007
【図６】
0003181191.tif 000008
【図７】
0003181191.tif 000009
【図８】
0003181191.tif 000010
【図９】
0003181191.tif 000011